(57)【要約】【課題】斬新な見栄えの計器を提供する。【解決手段】目盛り表示部１０ａに沿って目盛盤１０の表面側に設けられた略リング状の導光部材２０は、光源９１からの光が入射して発光すると共に、光源９１からの光を目盛盤１０の表面側から目盛り表示部１０ａに照射する。これにより、導光部材２０が発光するため装飾性が向上する。また、導光部材２０により光源９１の光が目盛り表示部１０ａに照射されるため、目盛り表示部１０ａを際立たせて表示させ得る。従って、導光部材２０の発光と目盛り表示部１０ａの際立った表示とが相俟って、斬新な見栄えを提供し得る。【選択図】図３
2008134263.tif 000002
【特許請求の範囲】
【請求項１】
目盛り表示部（１０ａ）が形成され導光性を有する目盛盤（１０）と、前記目盛り表示部（１０ａ）に沿って前記目盛盤（１０）の表面側に設けられ、表面側に内周側斜面部（２０ｃ）および外周側斜面部（２０ｄ）の２つの斜面と裏面側に前記目盛盤の表面側に位置する底面部（２０ｅ）が形成されて断面が略三角形状とされた略リング状の導光部材（２０）と、前記目盛盤の表面に位置した指針と、前記目盛盤の裏面側に位置し前記指針を発光させる光源（９３）と、前記目盛盤の裏面側に位置し該目盛盤に光を入射させる光源（９２）と、前記目盛盤（１０）の裏面側に位置し前記導光部材（２０）の前記底面部（２０ｅ）を通して前記外周側斜面部（２０ｄ）を介して前記目盛表示部を前記目盛盤の表面から照射するとともに、前記内周側斜面部（２０ｃ）を発光させる光源（９１）と、前記導光部材（２０）の前記外周側斜面部（２０ｄ）の表面側に配置された遮光部材（３０）と、を備えることを特徴とする計器。
【請求項２】
前記目盛盤（１０）は前記目盛り表示部（１０ａ）の内側に数字が形成されていることを特徴とする請求項１に記載の計器。
【請求項３】
前記導光部材（２０）の裏面（２０ｅ）側に拡散処理を施したことを特徴とする請求項１または２に記載の計器。
【発明の詳細な説明】
【技術分野】
【０００１】
本発明は、例えば、車両に採用するに適した計器に関する。
【背景技術】
【０００２】
特開平９−２８７９８０号公報に記載の計器は、目盛盤の目盛り表示部の外周に円筒状の導光部材が配置され、その導光部材は目盛盤側から運転者側に向かって延びた筒部の先端が発光するようになっている。
【発明の開示】
【発明が解決しようとする課題】
【０００３】
しかし、上記計器では、導光部材は装飾や警報表示のためにその先端が光るだけで、目盛盤の照明等に寄与するものではないため、かわり映えのしない画一的な見栄えとなっている。
【０００４】
そこで、本発明は、このようなことに対処するため、導光部材でもって斬新な見栄えを提供し得る計器を提供することを目的とする。
【課題を解決するための手段】
【０００５】
上記目的を達成するため、請求項１に記載の発明では、目盛り表示部（１０ａ）が形成され導光性を有する目盛り表示部（１０ａ）が形成された目盛盤（１０）と、前記目盛り表示部（１０ａ）に沿って前記目盛盤（１０）の表面側に設けられ、表面側に内周側斜面部（２０ｃ）および外周側斜面部（２０ｄ）の２つの斜面と裏面側に前記目盛盤の表面側に位置する底面部（２０ｅ）が形成されて断面が略三角形状とされた略リング状の導光部材（２０）と、前記目盛盤の表面に位置した指針と、前記目盛盤の裏面側に位置し前記指針を発光させる光源（９３）と、前記目盛盤の裏面側に位置し該目盛盤に光を入射させる光源（９２）と、前記目盛盤（１０）の裏面側に位置し前記導光部材（２０）の前記底面部（２０ｅ）を通して前記外周側斜面部（２０ｄ）を介して前記目盛表示部を前記目盛盤の表面から照射するとともに、前記内周側斜面部（２０ｃ）を発光させる光源（９１）と、前記導光部材（２０）の前記外周側斜面部（２０ｄ）の表面側に配置された遮光部材（３０）と、を備えることを特徴とする。
【０００６】
これにより、光源の点灯時には、導光部材が発光するため装飾性が向上する。また、導光部材により光源の光が目盛り表示部に照射されるため、目盛り表示部を際立たせて表示させ得る。従って、導光部材を設けたことにより、導光部材の内側斜面部の発光と目盛り表示部の際立った表示とが相俟って、斬新な見栄えを提供し得る。また、遮光部材により、導光部材の背面側の光源が運転者から直接視認されるのを防止できる。
【０００７】
請求項２に記載の発明のように、目盛盤はさらに目盛り表示部（１０ａ）の内側に数字を形成していてもよい。
【０００８】
請求項３に記載の発明では、請求項１または２に記載の発明において、導光部材（２０）の裏面（２０ｅ）側に拡散処理を施したことを特徴とする。
【０００９】
これにより、拡散処理面で光が乱反射して拡散処理面全体がぼんやりと光り、目盛り表示部が綺麗に照明されてさらに斬新な見栄えとなる。しかも、拡散処理により拡散処理面への映り込みが防止され、目盛り表示部の目盛りを鮮明に視認することができる。
【００１０】
なお、上記各手段の括弧内の符号は、後述する実施形態に記載の具体的手段との対応関係を示すものである。
【発明を実施するための最良の形態】
【００１１】
（実施形態）
図１〜図３は、本発明に係る自動車用車速計の一実施形態を示すもので、図１は車速計の正面図、図２は図１のＡ−Ａ断面図、図３は図２のＢ部の拡大断面図である。
【００１２】
図１〜図３において、目盛盤１０は略円板状の透明樹脂製で、円弧状に目盛りが配置された目盛り表示部１０ａを、その表面側（運転者側）に印刷形成している。なお、図１から理解されるごとく、目盛盤１０の、目盛り表示部１０ａの内側には数字が形成されている。
【００１３】
目盛盤１０の表面側には、例えばアクリルよりなる導光部材２０が設置されている。この導光部材２０は、目盛り表示部１０ａに沿った円弧状部分２０ａと下端側の直線状部分２０ｂとを有する略リング状に形成されており、円弧状部分２０ａが目盛り表示部１０ａを覆っている。
【００１４】
また、導光部材２０は、断面が略三角形状になっており、表面側には２つの斜面、すなわち、内周側斜面部２０ｃと外周側斜面部２０ｄが形成され、裏面側には底面部２０ｅが形成されている。そして、底面部２０ｅが目盛盤１０に密着している。
【００１５】
導光部材２０の外周側斜面部２０ｄの表面側には、例えばＡＢＳ樹脂に金属調メッキ（例えばクロムメッキ）を施した遮光部材３０が配置されている。この遮光部材３０は、導光部材２０と同様に円弧状部分３０ａと直線状部分３０ｂとを有する略リング状に形成されている。そして、この遮光部材３０と見返し板４０とによって導光部材２０の外周側斜面部２０ｄを覆っている。
【００１６】
目盛盤１０の裏面側には例えばアクリルよりなる拡散板５０が密着配置され、さらに目盛盤１０の裏面側において所定間隔離れた位置にプリント配線板６０が取り付けられている。
【００１７】
配線板６０の裏面側には回動内機７０が配設され、この回動内機７０の指針軸７１の先端に導光性指針８０が取り付けられている。
【００１８】
また、配線板６０の表面側には、例えば発光ダイオードからなる３つの光源９１、９２、９３が配設されている。そして、第１光源９１の光は目盛盤１０を通過して導光部材２０に入射し、第２光源９２の光は拡散板５０に導かれて目盛盤１０にその裏面から入射し、第３光源９３の光は目盛盤１０の貫通穴１０ａを通って指針８０に入射する。
【００１９】
以上のように構成した本実施形態において、第１光源９１が点灯すると、第１光源９１の光が目盛盤１０を通過して導光部材２０に入射され、導光部材２０が発光する。ここで、導光部材２０の外周側斜面部２０ｄは、遮光部材３０と見返し板４０とによって覆われているため、運転者は、導光部材２０の内周側斜面部２０ｃが発光した状態を視認する。なお、遮光部材３０は、第１光源９１が運転者から直接視認されるのを防止する。
【００２０】
また、導光部材２０に入射した光は、図３の矢印Ｃのように、導光部材２０内で反射して目盛り表示部１０ａに照射され、これにより、目盛り表示部１０ａは表面側から照明される。
【００２１】
一方、第２光源９２が点灯すると、第２光源９２の光は拡散板５０に導かれて目盛盤１０にその裏面から入射し、これにより目盛盤１０が透過照明される。また、第３光源９３が点灯すると、第３光源９３の光は目盛盤１０の貫通穴１０ａを通って指針８０に入射し、これにより指針８０が発光する。
【００２２】
以上説明したように、第１光源９１の点灯時には、導光部材２０の内周側斜面部２０ｃが発光するため、装飾性が向上する。また、導光部材２０により第１光源９１の光が目盛り表示部１０ａに照射されるため、目盛盤１０においては、目盛り表示部１０ａから指針８０の回動中心部に向かって次第に光度が低下し、目盛り表示部１０ａを際立たせて表示させ得る。従って、導光部材２０を設けたことにより、内周側斜面部２０ｃの発光と目盛り表示部１０ａの際立った表示とが相俟って、斬新な見栄えを提供し得る。
【００２３】
また、第１光源９１とともに第２光源９２も点灯すると、目盛盤１０が透過照明される。これにより、目盛り表示部１０ａは表面側から照明されると共に、目盛盤１０全体が透過照明されて、さらに斬新な見栄えとなる。
【００２４】
（他の実施形態）
上記実施形態では、第１光源９１が運転者から直接視認されるのを防止するために遮光部材３０を設けたが、遮光部材３０を設けるかわりに、導光部材２０の外周側斜面部２０ｄに金属調メッキ（例えばクロムメッキ）を施してもよい。
【００２５】
また、導光部材２０の底面部２０ｅにシボ処理等の拡散処理を行うことにより、拡散処理面（底面部２０ｅ）で光が乱反射して底面部２０ｅ全体がぼんやりと光り、これにより目盛り表示部１０ａが綺麗に照明されてさらに斬新な見栄えとなる。しかも、拡散処理により底面部２０ｅへの映り込みが防止され、目盛り表示部１０ａの目盛りを鮮明に視認することができる。
【００２６】
また、第１光源９１と第２光源９２は兼用してもよい。すなわち、１つの光源の光が、導光部材２０と拡散板５０とに入射されるようにしてもよい。
【００２７】
また、イグニッションスイッチをオンした際に、例えば、指針用の第３光源９３点灯→導光部材２０用の第１光源９１点灯→目盛盤１０用の第２光源９２点灯といった、時差点灯を行うことにより、斬新な見栄えを提供し得る。なお、時差点灯を行う際の点灯順序は、上記した順序以外でもよい。また、イグニッションスイッチをオフした際に、時差消灯を行ってもよい。
【００２８】
また、目盛盤１０において第１光源９１と導光部材２０との間に位置する部分（第１光源９１の光が通過する部分）に色印刷を行うことにより、導光部材２０の内周側斜面部２０ｃを所定の色で発光させることができる。
【００２９】
また、上記実施形態では、第１光源９１と導光部材２０との間に目盛盤１０を設けたが、第１光源９１と導光部材２０との間には目盛盤１０がなくてもよい。
【００３０】
また、何らかの警告を行う必要が生じた際に、導光部材２０を赤系統の色で発光させることにより、導光部材２０を警告表示用としても用いることができる。なお、この場合の導光部材２０用の光源としては、例えば、警告時に点灯させる赤色発光ダイオードと通常時に点灯させる発光ダイオードとを用いるか、あるいは、赤色を含む複数色に色が変わる発光ダイオードを用いる。
【図面の簡単な説明】
【００３１】
【図１】本発明に係る計器の一実施形態を示正面図である。
【図２】図１のＡ−Ａ断面図である。
【図３】図２のＢ部の拡大断面図である。
【符号の説明】
【００３２】
１０…目盛盤、１０ａ…目盛り表示部、２０…導光部材、２０ｃ…内周側斜面部、２０ｄ…外周側斜面部、２０ｅ…底面部、３０…遮光部材９１〜９３…光源。
【図１】
2008134263.tif 000003
【図２】
2008134263.tif 000004
【図３】
2008134263.tif 000005